(57)【要約】      （修正有）【課題】主に一般家庭において、不在時に繰り返し宅配荷物を荷受けできる、遠隔よりの錠操作を可能とした、宅配ボックスを提供する。【解決手段】物品を収容する内部空間を有する宅配ボックスであって、少なくとも一つ以上の開閉自在な扉面２と、扉面２を施開錠する錠手段５と、宅配ボックスの外面に設けられた押圧可能な解錠要請ボタン４と、無線による解錠許可信号を受信可能な受信手段と、宅配ボックス全体の動作を制御する制御手段と、を含み、解錠要請ボタン４が押圧中であり、かつ受信手段に所定の解錠許可信号が受信された場合に、制御手段は、錠手段５に対し解錠指令信号を送出して扉面２を解錠する。【選択図】図１
0003213669.tif 000002
【実用新案登録請求の範囲】
【請求項１】
物品を収容する内部空間を有する宅配ボックスであって、少なくとも一つ以上の開閉自在な扉面と、前記扉面を施開錠する錠手段と、前記宅配ボックスの外面に設けられた押圧可能な解錠要請ボタンと、無線による解錠許可信号を受信可能な受信手段と、前記宅配ボックス全体の動作を制御する制御手段と、を含み、前記解錠要請ボタンが押圧中であり、かつ前記受信手段に所定の解錠許可信号が受信された場合に、前記制御手段は、前記錠手段に対し解錠指令信号を送出して前記扉面を解錠することを特徴とする宅配ボックス。
【請求項２】
前記解錠要請ボタンを押圧することにより、前記受信手段に通電されてその動作が可能となり、前記受信手段に所定の受信信号が受信されることにより、前記錠手段に通電されてその動作を可能とすることを特徴とする請求項１に記載の宅配ボックス。
【請求項３】
前記受信手段は、前記宅配ボックスの近傍に設置された中継装置から送信される解錠許可信号を受信するものであり、前記中継装置から送信される無線媒体は、可聴音波、超音波や微弱無線或いは赤外線などの近距離無線媒体であることを特徴とする請求項１又は２に記載の宅配ボックス。
【請求項４】
前記中継装置は、前記中継装置内に設置された遠隔操作可能な発音装置の発音を、前記中継装置内の音センサースイッチが検知することにより、前記無線媒体に通電されてその動作を可能とし、解錠許可信号を送信することを特徴とする請求項３に記載の宅配ボックス。
【請求項５】
前記遠隔操作可能な発音装置の発音は、中継用携帯電話の着信音であることを特徴とする請求項４に記載の宅配ボックス。
【請求項６】
前記遠隔操作可能な発音装置の発音は、無線ＬＡＮにより遠隔操作可能な電源リモートスイッチを介して電源に挿着されたブザーの作動音であることを特徴とする請求項４に記載の宅配ボックス。
【考案の詳細な説明】
【技術分野】
【０００１】
本考案は、主に一般家庭において、不在時に宅配荷物を荷受けできる、宅配ボックスに係るものである。
【背景技術】
【０００２】
宅配事業において、荷受け人不在のための荷物の持ち帰りと再配達の負担が問題となっており、荷受け人側でも荷物を受け取れる機会の逸失や、外出を控えて配送を待たなければならないという不便がある。一般家庭においては、宅配ボックスの利用という解決策が広く知られているが、従来の宅配ボックスにおいては、荷受けのためには扉部の開閉が不可欠であることから施解錠手段に制約があり、例えば解錠状態で待機して荷受け後に自動施錠されたり、配達者に施錠を頼るタイプの宅配ボックスであると、次に荷受け人が解錠するまでの間、再度の荷受けに利用できない。
【０００３】
また、このような課題を解決するために、宅配ボックスユニットに係る発明が、特開２００４−１０３４８号公報に開示されている。
【０００４】
しかし、特開２００４−１０３４８号公報に開示された発明は、宅配業者を含めた配送システム全般に関わるものであり、荷受け人側での個別導入に適さないという課題が残る。
【先行技術文献】
【特許文献】
【０００５】
【特許文献１】特開２００４−１０３４８号公報
【考案の概要】
【考案が解決しようとする課題】
【０００６】
本考案は、主に一般家庭において、不在時に繰り返し宅配荷物を荷受けできる、遠隔よりの錠操作を可能とした、宅配ボックスに係るものである。
【課題を解決するための手段】
【０００７】
本考案は、物品を収容する内部空間を有する宅配ボックスであって、少なくとも一つ以上の開閉自在な扉面と、前記扉面を施開錠する錠手段と、前記宅配ボックスの外面に設けられた押圧可能な解錠要請ボタンと、無線による解錠許可信号を受信可能な受信手段と、前記宅配ボックス全体の動作を制御する制御手段と、を含み、前記解錠要請ボタンが押圧中であり、かつ前記受信手段に所定の解錠許可信号が受信された場合に、前記制御手段は、前記錠手段に対し解錠指令信号を送出して前記扉面を解錠することを特徴とする宅配ボックスに係るものである。
すなわち、荷受け人が不在の際に、配達者が前記解錠要請ボタンを押圧中であり、遠隔の荷受け人が所定の解錠許可信号を送信して、これを前記受信手段が受信した場合にのみ、前記制御手段は、前記錠手段に対し解錠指令信号を送出して前記扉面を解錠する。
宅配者が宅配ボックス内に荷物を収容させ、扉面を閉じた再施錠後においても、上記手順を経ることで前記扉面を解錠し、再度の荷受けに利用できる。
配達者と遠隔の荷受け人の連絡は、前記解錠要請ボタンを押圧することで荷受け人に連絡が入るような手段を設けてもよいし、前記宅配ボックス本体等に記載された荷受け人の連絡先、例えば荷受け人の携帯電話等に配達者が連絡を行ってもよい。
前記扉面を施解錠する錠手段としては、電気錠を用いることが安価で好ましい。前記解錠指令信号としては、前記受信手段が前記解錠許可信号を受信した場合に、前記受信手段に設けられた導体が回路に接触し、電源と前記電気錠間の回路が開通して通電可能とする構造であることが安価で好ましい。
【０００８】
前記宅配ボックスの外面に設けられた押圧可能な解錠要請ボタンとは、誤った解錠指令信号の送信による誤解錠を防ぐものであるが、前記解錠要請ボタンを押圧することにより、前記受信手段に通電されてその動作が可能となり、前記受信手段に所定の受信信号が受信されることにより、前記錠手段に通電されてその動作を可能とする前記制御手段とすることが安価であり、待機電力の節電の観点からも好ましい。ここで、前記解錠要請ボタンを押圧することにより、前記受信手段に通電されてその動作が可能となる手段としては、前記解錠要請ボタンが押圧されることによりボタン下に設けられた導体が回路に接触し、電源と前記受信手段間の回路が開通して通電可能とする構造とすることが安価で好ましい。
【０００９】
前記宅配ボックスの近傍、例えば自宅屋内に中継装置を設置し、前記受信手段は、前記宅配ボックスの近傍に設置された中継装置から送信される解錠許可信号を受信されるようにしてもよい。
また、中継装置を利用する場合には、前記中継装置から送信される無線媒体は、可聴音波、超音波や微弱無線或いは赤外線などの近距離無線媒体であることが好ましい。
【００１０】
前記中継装置は、前記中継装置内に設置された遠隔操作可能な発音装置の発音を、前記中継装置内の音センサースイッチが検知することにより、前記無線媒体に通電されてその動作を可能とし、解錠許可信号を送信するようにしてもよい。ここで、音センサースイッチとは、所定の音量や音圧を検出することで電気回路の切り替えを行う、音圧リレー基板等をいうが、周知技術であるため詳細の説明は省略する。
前記発音装置の発音には、中継用携帯電話の着信音、或いは、無線ＬＡＮにより遠隔操作可能な電源リモートスイッチを介して電源に挿着されたブザーの作動音等が利用できる。ここで、中継用携帯電話とは、考案の説明上、前記発音装置として用いる携帯電話を他の携帯電話と明確に区別するために便宜的に設けた名称であり、一般の携帯電話やいわゆるスマートフォン等と何ら変わるものではない。
すなわち、配達者から連絡を受けた荷受け人は、配達者に前記解錠要請ボタンを押圧して待機することを要求し、前記中継装置内に設置された、中継用携帯電話へ発信して着信音を鳴らす、或いは、インターネット上から無線ＬＡＮを経由して遠隔操作により電源リモートスイッチを通電可能として電源に挿着されたブザーの作動音を鳴らす。前記中継用携帯電話の着信音、或いは、無線ＬＡＮにより遠隔操作可能な電源リモートスイッチを介して電源に挿着されたブザーの作動音を、前記中継装置内の音センサースイッチが検知することにより、前記無線媒体に通電されてその動作が可能となり、前記無線媒体は解錠許可信号を送信する。配達者が前記解錠要請ボタンを押圧していることにより、前記受信手段に通電されてその動作が可能となり、前記受信手段が前記無線媒体よりの解錠許可信号を受信することにより、前記錠手段に通電されてその動作が可能となり、前記扉面が解錠される制御手段を構築することができる。
なお、前記中継装置に、前記無線媒体の発信ボタン等を取り付けて、前記中継装置を近距離用の遠隔操作装置として利用することも、もちろん可能である。
【考案の効果】
【００１１】
本考案は、不在時に繰り返し宅配荷物を荷受けできる、遠隔よりの錠操作を可能とした宅配ボックスを提供するものであり、特に中継装置を用いて近距離無線媒体を利用し、中継用携帯電話の着信音、或いは、無線ＬＡＮにより遠隔操作可能な電源リモートコンセントに挿着されたブザーの作動音を、前記中継装置内の音圧リレー基盤が検知することにより、前記近距離無線媒体に通電されてその動作を可能とする構成のものにあっては安価に提供可能である利点を有する。
【図面の簡単な説明】
【００１２】
【図１】図１は第１実施例に係る宅配ボックスの正面図である。
【図２】図２は第１実施例に係る宅配ボックスの制御手段のシステム図である。
【図３】図３は第２実施例に係る宅配ボックスの制御手段のシステム図である。
【図４】図４は第３実施例に係る宅配ボックスの制御手段のシステム図である。
【考案を実施するための最良の形態】
【００１３】
以下、本考案の実施の形態を図面に基づいて説明する。なお、本考案の技術的思想から逸脱しない限り、これら実施の形態に種々の変更及び／又は追加が可能なことは言うまでもない。
【実施例１】
【００１４】
図１は、本考案の第１実施例に係る宅配ボックスの正面図である。
図１に示すように、本考案の第１実施例に係る宅配ボックスは、物品を収容する内部空間を有する宅配ボックス本体１に、開閉自在な扉面２を有している。取手３は、扉面の開閉を利便ならしめるものであって、本考案の必須の構成要素ではない。前記宅配ボックス１の外面には、押圧可能な解錠要請ボタン４が設けられている。扉面の内側には、電気錠５が設けられており、図外制御手段６により制御されている。
図２は、本考案の第１実施例に係る宅配ボックスの制御手段６のシステム図である。
図２に示すように、本考案の第１実施例に係る宅配ボックスの制御手段６は、前記電気錠５と、受信手段７と、前記解錠要請ボタン４と、本体電源８とから構成されている。
ここで、本体電源８は、宅配ボックス本体１の容量や電気錠５の構造等に応じた所要電力を満たすものであれば、家庭用のAC電源、電池、蓄電池、太陽光による自家発電等、その種類を問うものではない。
前記解錠要請ボタン４は、ボタンが押圧されることによりボタン下に設けられた導体が回路に接触し、本体電源８と前記受信手段７間の回路が開通して通電可能となる構造となっている。
前記受信手段７は、解錠許可信号を受信した場合に、当該受信手段７に設けられた導体が回路に接触し、前記本体電源８と前記電気錠５間の回路が開通して通電可能となる構造となっている。
これにより、配達者が前記解錠要請ボタン４を押圧しているこる場合には、前記受信手段７に通電されてその動作が可能となり、前記受信手段７が解錠許可信号を受信することにより、前記錠手段５に通電されてその動作が可能となり、前記扉面２が解錠される制御手段となっている。
【００１５】
図３は、本考案の第２実施例に係る宅配ボックスの制御手段６と、中継装置９のシステム図である。
前記中継装置９は、中継装置電源１０、音センサースイッチ１１、無線媒体１２、中継用携帯電話１３とから構成されている。
ここで、前記中継装置電源１０は、前記無線媒体１２等の所要電力を満たすものであれば、家庭用のAC電源、電池、蓄電池、太陽光による自家発電等、その種類を問うものではない。
前記中継用携帯電話１３は、遠隔操作可能な発音装置として採用されており、当該中継用携帯電話１３の着信音を、前記中継装置９内の音センサースイッチ１１が検知することにより電気回路の切り替えが行われ、前記無線媒体１２に通電されてその動作が可能となり、前記無線媒体１２は解錠許可信号を送信する。
宅配ボックス本体１にかかる受信手段７が、解錠許可信号を受信した場合の動作は、第１実施例と同様である。
【００１６】
図４は、本考案の第３実施例に係る宅配ボックスの制御手段６と、中継装置９のシステム図である。
前記中継装置９は、中継装置電源１０、音センサースイッチ１１、無線媒体１２、電源リモートスイッチ１４、前記電源リモートスイッチ１４に挿着されたブザー１５とから構成されている。
前記電源リモートスイッチ１４と、前記電源リモートスイッチ１４に挿着されたブザー１５の組み合わせは、遠隔操作可能な発音装置として採用されており、当該ブザー１５の作動音を、前記中継装置９内の音センサースイッチ１１が検知した場合の動作は、第２実施例と同様である。
すなわち、配達者から連絡を受けた荷受け人は、配達者に前記解錠要請ボタン４を押圧して待機することを要求し、前記中継装置９内に設置された、インターネット上から無線ＬＡＮを経由して遠隔操作により前記電源リモートスイッチ１４を通電可能として、電源に挿着されたブザー１５の作動音を鳴らす。前記ブザー１５の作動音を、前記中継装置９内の音センサースイッチ１１が検知することにより、前記無線媒体１２に通電されてその動作が可能となり、前記無線媒体１２は解錠許可信号を送信する。配達者が前記解錠要請ボタン４を押圧していることにより、前記受信手段７に通電されてその動作が可能となり、前記受信手段７が前記無線媒体１２よりの解錠許可信号を受信することにより、前記錠手段５に通電されてその動作が可能となり、前記扉面２が解錠される制御手段が構築されている。
【符号の説明】
【００１７】
１    宅配ボックス本体
２    扉面
３    取手
４    解錠要請ボタン
５    電気錠
６    制御手段
７    受信手段
８    本体電源
９    中継装置
１０    中継装置電源
１１    音センサースイッチ
１２    無線媒体
１３    中継用携帯電話
１４    電源リモートスイッチ
１５    ブザー
【図１】
0003213669.tif 000003
【図２】
0003213669.tif 000004
【図３】
0003213669.tif 000005
【図４】
0003213669.tif 000006